(57)【要約】【課題】表示色の変更を円滑に行うことができる電気泳動表示装置などを提供する。【解決手段】互いに対向させられた第１の基板および第２の基板と、前記第１の基板に設けられた第１の電極と、前記第２の基板に設けられた第２の電極と、前記第１の基板と前記第２の基板との間に複数の領域を形成する領域形成部と、前記第１の電極と前記第２の電極との間に設けられた粒子および分散媒を含む分散液と、前記第１の電極に電圧を印加する制御部と、を備え、前記第１の電極は、画素ごとに設けられ、前記制御部は、隣接する第１の前記画素と第２の前記画素に同じ色を表示させる場合に、前記第１の前記画素の前記第１の電極と前記第２の前記画素の前記第１の電極とで、異なる波形を有する電圧を印加する、電気泳動表示装置。【選択図】図１
2017187625.tif 000002
【特許請求の範囲】
【請求項１】
互いに対向させられた第１の基板および第２の基板と、
前記第１の基板に設けられた第１の電極と、
前記第２の基板に設けられた第２の電極と、
前記第１の基板と前記第２の基板との間に複数の領域を形成する領域形成部と、
前記第１の電極と前記第２の電極との間に設けられた粒子および分散媒を含む分散液と、
前記第１の電極に電圧を印加する制御部と、を備え、
前記第１の電極は、画素ごとに設けられ、
前記制御部は、隣接する第１の前記画素と第２の前記画素に同じ色を表示させる場合に、前記第１の前記画素の前記第１の電極と前記第２の前記画素の前記第１の電極とで、異なる波形を有する電圧を印加する、
電気泳動表示装置。
【請求項２】
前記制御部は、隣接する前記第１の前記画素と前記第２の前記画素に同じ色を表示させる場合に、前記第１の前記画素の前記第１の電極と前記第２の前記画素の前記第１の電極とで、表示の書き換えの開始時に電位差を有する電圧を印加する、
請求項１に記載の電気泳動表示装置。
【請求項３】
前記制御部は、マトリクス状に配置された複数の前記画素において、前記第１の前記画素に対して、少なくとも１個の隣接する前記第２の前記画素と同じ色を表示させる場合に、前記第１の前記画素の前記第１の電極と前記第２の前記画素の前記第１の電極とで、異なる波形を有する電圧を印加する、
請求項１または請求項２のいずれか１項に記載の電気泳動表示装置。
【請求項４】
前記第１の前記画素は、前記第１の前記画素の前記第１の電極と、第１の記憶回路と、前記第１の記憶回路の状態に応じて一方が導通し他方が遮断する一対の第１のスイッチ回路を備え、
前記一対の前記第１のスイッチ回路の一方の端子が共に前記第１の前記画素の前記第１の電極と接続され、他方の端子のそれぞれが第１の制御線と第２の制御線のそれぞれと接続されており、
前記第２の前記画素は、前記第２の前記画素の前記第１の電極と、第２の記憶回路と、前記第２の記憶回路の状態に応じて一方が導通し他方が遮断する一対の第２のスイッチ回路を備え、
前記一対の前記第２のスイッチ回路の一方の端子が共に前記第２の前記画素の前記第１の電極と接続され、他方の端子のそれぞれが第３の制御線と第４の制御線のそれぞれと接続されている、
請求項１から請求項３のいずれか１項に記載の電気泳動表示装置。
【請求項５】
前記第１の制御線と前記第２の制御線とのうちの一方と、前記第３の制御線と前記第４の制御線とのうちの一方とが共通である、
請求項４に記載の電気泳動表示装置。
【請求項６】
請求項１から請求項５のいずれか１項に記載の電気泳動表示装置を備える電子機器。
【請求項７】
互いに対向させられた第１の基板および第２の基板と、前記第１の基板に設けられた第１の電極と、前記第２の基板に設けられた第２の電極と、前記第１の基板と前記第２の基板との間に複数の領域を形成する領域形成部と、前記第１の電極と前記第２の電極との間に設けられた粒子および分散媒を含む分散液と、を備え、前記第１の電極は、画素ごとに設けられた電気泳動表示装置を制御する制御装置であって、
隣接する第１の前記画素と第２の前記画素に同じ色を表示させる場合に、前記第１の前記画素の前記第１の電極と前記第２の前記画素の前記第１の電極とで、異なる波形を有する電圧を印加する、
制御装置。
【請求項８】
互いに対向させられた第１の基板および第２の基板と、前記第１の基板に設けられた第１の電極と、前記第２の基板に設けられた第２の電極と、前記第１の基板と前記第２の基板との間に複数の領域を形成する領域形成部と、前記第１の電極と前記第２の電極との間に設けられた粒子および分散媒を含む分散液と、を備え、前記第１の電極は、画素ごとに設けられた電気泳動表示装置を駆動する駆動方法であって、
隣接する第１の前記画素と第２の前記画素に同じ色を表示させる場合に、前記第１の前記画素の前記第１の電極と前記第２の前記画素の前記第１の電極とで、異なる波形を有する電圧を印加する、
駆動方法。
【発明の詳細な説明】
【技術分野】
【０００１】
本発明は、電気泳動表示装置、電子機器、制御装置および駆動方法に関する。
【背景技術】
【０００２】
電気泳動表示装置（ＥＰＤ：Ｅｌｅｃｔｒｏｐｈｏｒｅｔｉｃ  Ｄｉｓｐｌａｙ）は、例えば、電子ペーパーなどで用いられている。
電気泳動表示装置は、帯電性および分散性を有する粒子が注入された溶媒（分散媒）に電圧を印加して、当該粒子を所定の電極の側に動かすことで、色および反射率が異なる粒子を分離させて、表示の内容を変えることができる。一例として、白に対応する粒子（白色粒子）および黒に対応する粒子（黒色粒子）を用いた白黒表示体では、一般に、白色粒子の光散乱を利用して白を表示させ、黒色粒子の光吸収性を利用して黒を表示させている。
【０００３】
ここで、電気泳動表示装置は、画素電極を含む基板（以下、「画素基板」という。）と対向電極を含む基板（以下、「対向基板」という。）との間に隔壁あるいはマイクロカプセルが設けられた構造を有する。当該隔壁あるいは当該マイクロカプセルにより、複数の画素領域（セル）が形成される。当該画素領域は、例えば、画素の単位となる。また、それぞれの画素に、粒子を分散媒に分散させた分散液（電気泳動材料）が充填される。
そして、画素領域ごとに、画素電極と対向電極との間に電圧が印加されることで、電場が発生し、これにより帯電した粒子が移動することで、表示の色が変化する。
【０００４】
このような隔壁型あるいはカプセル型の電気泳動表示装置の表示部（例えば、表示用パネル）では、画素電極と対向電極とが平行に対向させられて配置されており、隔壁あるいはマイクロカプセルの内部（画素領域）で均一な電場が形成される。
しかしながら、このような電圧の制御では、隔壁あるいはマイクロカプセルの内部に存在する同種の帯電した粒子（例えば、白色粒子、または、黒色粒子）はすべて同じ（均一な）速度で移動しようとする。ここで、粒子が移動するためには分散媒を排斥する必要があるが、同種の帯電した粒子が同じ速度で移動しようとするために拮抗状態となり、粒子の円滑な移動が妨げられて、粒子の移動が遅くなり、表示色の変更が遅くなる場合があった。
【先行技術文献】
【特許文献】
【０００５】
【特許文献１】特開２００８−２６８８５３号公報
【発明の概要】
【発明が解決しようとする課題】
【０００６】
上述のように、電気泳動表示装置における電圧の制御では、粒子の移動が遅くなり、表示色の変更が遅くなる場合があった。
【０００７】
本発明は、前記の点に鑑み為されたものであり、表示色の変更を円滑に行うことができる電気泳動表示装置、電子機器、制御装置および駆動方法を提供することを目的とする。
【課題を解決するための手段】
【０００８】
上記課題の少なくとも一つを解決するために本発明の一態様は、互いに対向させられた第１の基板および第２の基板と、前記第１の基板に設けられた第１の電極と、前記第２の基板に設けられた第２の電極と、前記第１の基板と前記第２の基板との間に複数の領域を形成する領域形成部と、前記第１の電極と前記第２の電極との間に設けられた粒子および分散媒を含む分散液と、前記第１の電極に電圧を印加する制御部と、を備え、前記第１の電極は、画素ごとに設けられ、前記制御部は、隣接する第１の前記画素と第２の前記画素に同じ色を表示させる場合に、前記第１の前記画素の前記第１の電極と前記第２の前記画素の前記第１の電極とで、異なる波形を有する電圧を印加する、電気泳動表示装置である。
この構成により、電気泳動表示装置では、隣接する第１の画素と第２の画素に同じ色を表示させる場合に、第１の画素の第１の電極と第２の画素の第１の電極とで、異なる波形を有する電圧を印加する。これにより、電気泳動表示装置では、電界を不均一にして、表示色の変更を円滑に行うことができる。
【０００９】
また、本発明の一態様は、電気泳動表示装置において、前記制御部は、隣接する前記第１の前記画素と前記第２の前記画素に同じ色を表示させる場合に、前記第１の前記画素の前記第１の電極と前記第２の前記画素の前記第１の電極とで、表示の書き換えの開始時に電位差を有する電圧を印加する、構成が用いられてもよい。
この構成により、電気泳動表示装置では、隣接する第１の画素と第２の画素に同じ色を表示させる場合に、第１の画素の第１の電極と第２の画素の第１の電極とで、表示の書き換えの開始時に電位差を有する電圧を印加する。これにより、電気泳動表示装置では、表示の書き換えの開始時に電界を不均一にして、表示色の変更を円滑に行うことができる。
【００１０】
また、本発明の一態様は、電気泳動表示装置において、前記制御部は、マトリクス状に配置された複数の前記画素において、前記第１の前記画素に対して、少なくとも１個の隣接する前記第２の前記画素と同じ色を表示させる場合に、前記第１の前記画素の前記第１の電極と前記第２の前記画素の前記第１の電極とで、異なる波形を有する電圧を印加する、構成が用いられてもよい。
この構成により、電気泳動表示装置では、マトリクス状に配置された複数の画素において、第１の画素に対して、少なくとも１個の隣接する第２の画素と同じ色を表示させる場合に、第１の画素の第１の電極と第２の画素の第１の電極とで、異なる波形を有する電圧を印加する。これにより、電気泳動表示装置では、マトリクス状に配置された複数の画素において、表示色の変更を円滑に行うことができる。
【００１１】
また、本発明の一態様は、電気泳動表示装置において、前記第１の前記画素は、前記第１の前記画素の前記第１の電極と、第１の記憶回路と、前記第１の記憶回路の状態に応じて一方が導通し他方が遮断する一対の第１のスイッチ回路を備え、前記一対の前記第１のスイッチ回路の一方の端子が共に前記第１の前記画素の前記第１の電極と接続され、他方の端子のそれぞれが第１の制御線と第２の制御線のそれぞれと接続されており、前記第２の前記画素は、前記第２の前記画素の前記第１の電極と、第２の記憶回路と、前記第２の記憶回路の状態に応じて一方が導通し他方が遮断する一対の第２のスイッチ回路を備え、前記一対の前記第２のスイッチ回路の一方の端子が共に前記第２の前記画素の前記第１の電極と接続され、他方の端子のそれぞれが第３の制御線と第４の制御線のそれぞれと接続されている、構成が用いられてもよい。
この構成により、電気泳動表示装置では、第１の画素については第１の制御線と第２の制御線とをスイッチし、第２の画素については第３の制御線と第４の制御線とをスイッチする。これにより、電気泳動表示装置では、表示色の変更を円滑に行うための回路を実現することができる。
【００１２】
また、本発明の一態様は、電気泳動表示装置において、前記第１の制御線と前記第２の制御線とのうちの一方と、前記第３の制御線と前記第４の制御線とのうちの一方とが共通である、構成が用いられてもよい。
この構成により、電気泳動表示装置では、第１の画素における一方の制御線と、第２の画素における一方の制御線とが共通である。これにより、電気泳動表示装置では、回路を簡易化することができる。
【００１３】
上記課題の少なくとも一つを解決するために本発明の一態様は、上記のような電気泳動表示装置を備える電子機器である。
この構成により、電子機器では、電気泳動表示装置において、隣接する第１の画素と第２の画素に同じ色を表示させる場合に、第１の画素の第１の電極と第２の画素の第１の電極とで、異なる波形を有する電圧を印加する。これにより、電子機器では、電気泳動表示装置において、電界を不均一にして、表示色の変更を円滑に行うことができる。
【００１４】
上記課題の少なくとも一つを解決するために本発明の一態様は、互いに対向させられた第１の基板および第２の基板と、前記第１の基板に設けられた第１の電極と、前記第２の基板に設けられた第２の電極と、前記第１の基板と前記第２の基板との間に複数の領域を形成する領域形成部と、前記第１の電極と前記第２の電極との間に設けられた粒子および分散媒を含む分散液と、を備え、前記第１の電極は、画素ごとに設けられた電気泳動表示装置を制御する制御装置であって、隣接する第１の前記画素と第２の前記画素に同じ色を表示させる場合に、前記第１の前記画素の前記第１の電極と前記第２の前記画素の前記第１の電極とで、異なる波形を有する電圧を印加する、制御装置である。
この構成により、制御装置では、電気泳動表示装置において、隣接する第１の画素と第２の画素に同じ色を表示させる場合に、第１の画素の第１の電極と第２の画素の第１の電極とで、異なる波形を有する電圧を印加する。これにより、制御装置では、電気泳動表示装置において、電界を不均一にして、表示色の変更を円滑に行うことができる。
【００１５】
上記課題の少なくとも一つを解決するために本発明の一態様は、互いに対向させられた第１の基板および第２の基板と、前記第１の基板に設けられた第１の電極と、前記第２の基板に設けられた第２の電極と、前記第１の基板と前記第２の基板との間に複数の領域を形成する領域形成部と、前記第１の電極と前記第２の電極との間に設けられた粒子および分散媒を含む分散液と、を備え、前記第１の電極は、画素ごとに設けられた電気泳動表示装置を駆動する駆動方法であって、隣接する第１の前記画素と第２の前記画素に同じ色を表示させる場合に、前記第１の前記画素の前記第１の電極と前記第２の前記画素の前記第１の電極とで、異なる波形を有する電圧を印加する、駆動方法である。
この構成により、駆動方法では、電気泳動表示装置において、隣接する第１の画素と第２の画素に同じ色を表示させる場合に、第１の画素の第１の電極と第２の画素の第１の電極とで、異なる波形を有する電圧を印加する。これにより、駆動方法では、電気泳動表示装置において、電界を不均一にして、表示色の変更を円滑に行うことができる。
【００１６】
以上のように、本発明に係る電気泳動表示装置、電子機器、制御装置および駆動方法によれば、電気泳動表示装置において、隣接する第１の画素と第２の画素に同じ色を表示させる場合に、第１の画素の第１の電極と第２の画素の第１の電極とで、異なる波形を有する電圧を印加する。これにより、本発明に係る電気泳動表示装置、電子機器、制御装置および駆動方法では、電気泳動表示装置において、電界を不均一にして、表示色の変更を円滑に行うことができる。
【図面の簡単な説明】
【００１７】
【図１】本発明の一実施形態（第１実施形態）に係る電気泳動表示装置の概略的な構成例を示す図である。
【図２】本発明の一実施形態（第１実施形態）に係る電気泳動表示装置の表示部の構成例を示す図である。
【図３】本発明の一実施形態（第１実施形態）に係る画素回路の構成例を示す図である。
【図４】本発明の一実施形態（第１実施形態）に係る画素電極および対向電極に印加される電圧の一例を示す図である。
【図５】本発明の一実施形態（第１実施形態）に係る複数の画素の電圧制御の割り当ての例（第１の例）を示す図である。
【図６】本発明の一実施形態（第１実施形態）に係る複数の画素の電圧制御の割り当ての例（第２の例）を示す図である。
【図７】本発明の一実施形態（第１実施形態）に係る複数の画素の電圧制御の割り当ての例（第３の例）を示す図である。
【図８】本発明の一実施形態（第１実施形態）に係る複数の画素の電圧制御の割り当ての例（第４の例）を示す図である。
【図９】本発明の一実施形態（第１実施形態）に係る画素電極および対向電極に印加される電圧の他の一例を示す図である。
【図１０】本発明の一実施形態（第１実施形態）に係る画素回路の他の構成例を示す図である。
【図１１】本発明の一実施形態（第２実施形態の第１の例）に係る電子機器の概略的な構成例を示す図である。
【図１２】本発明の一実施形態（第２実施形態の第２の例）に係る電子機器の概略的な構成例を示す図である。
【図１３】本発明の一実施形態（第２実施形態の第３の例）に係る電子機器の概略的な構成例を示す図である。
【図１４】対比技術に係る画素回路の構成例を示す図である。
【図１５】対比技術に係る画素電極および対向電極に印加される電圧の一例を示す図である。
【発明を実施するための形態】
【００１８】
本発明の実施形態について図面を参照して詳細に説明する。
【００１９】
（第１実施形態）
［電気泳動表示装置の概要］
図１は、本発明の一実施形態（第１実施形態）に係る電気泳動表示装置１の概略的な構成例を示す図である。図１は、電気泳動表示装置１の平面図である。
電気泳動表示装置１は、表示部１１と、制御部１２を備える。
表示部１１は、縦および横（マトリクス状）に配置された画素からなる画素群からなり、本実施形態では、各画素は全辺を隔壁で区画されていて、１個の画素ごとに１個の画素領域２１を備える。それぞれの画素領域２１ごとに、分散媒とともに白色粒子および黒色粒子を含む分散液が充填されている。制御部１２は、それぞれの画素ごとに、分散液に印加する電圧を制御することにより、白色粒子を用いた白の表示または黒色粒子を用いた黒の表示が可能である。
ここでは、画素群の配列と複数の画素領域２１の配列とを一致させているが、一般的には無関係であってもよく、これについては後述する。
【００２０】
［表示部の概要］
図２は、本発明の一実施形態（第１実施形態）に係る電気泳動表示装置１の表示部１１の構成例を示す図である。図２は、表示部１１の断面側面図であり、外周の側面に位置しない一部の画素領域２１に係る部分を示してある。
なお、本実施形態では、複数の画素領域２１のうち、外周に面しない２以上の画素領域２１の構成は同じであり、また、外周に面した２以上の画素領域２１の構成は同じである。外周に面しない画素領域２１の構成と、外周に面した画素領域２１の構成とは、外周に面しないかまたは面するかに応じた相違部分以外は同じ構成である。
【００２１】
表示部１１は、第１の基板（画素基板）１０１と、第２の基板（対向基板）１０２と、接合層１０３と、隔壁１１１〜１１２と、第１の電極（画素電極）１２１〜１２３と、第２の電極（対向電極）１３１と、分散液１４１を備える。分散液１４１は、分散媒１５１と、第１の種類の複数の電気泳動粒子（本実施形態では、白色粒子）１５２と、第２の種類の複数の電気泳動粒子（本実施形態では、黒色粒子）１５３を含む。
なお、「画素基板」は「駆動基板」などと呼ばれてもよく、「対向電極」は「共通電極」などと呼ばれてもよい。
【００２２】
画素基板１０１と対向基板１０２とは、互いに対向させられて配置されている。
画素基板１０１と対向基板１０２との間において、画素基板１０１に、隔壁１１１〜１１２が設けられている。隔壁１１１〜１１２によって、仕切られた複数の画素領域２１の空間（セル）が形成されている。
画素基板１０１と対向基板１０２との間において、画素基板１０１に、画素領域２１ごとに、画素電極１２１〜１２３が設けられている。
画素基板１０１と対向基板１０２との間において、対向基板１０２に、対向電極１３１が設けられている。本実施形態では、対向電極１３１は複数の画素領域２１について共通な電極となっているが、他の構成例として、対向電極１３１が画素電極１２１〜１２３ごとに分割されて設けられてもよい。なお、対向基板１０２としては例えばガラス基板が用いられてもよく、対向電極１３１としては例えばＩＴＯ（インジウム・スズ酸化物）などの電極が用いられてもよい。
【００２３】
画素基板１０１と対向基板１０２との間において、対向基板１０２に、画素基板１０１の側（本実施形態では、対向基板１０２に設けられた対向電極１３１の面）に、接合層１０３が設けられている。ここで、接合層１０３と、隔壁１１１〜１１２の先端部（対向基板１０２の側の先端部）とが接している。当該接合層１０３は、例えば、１個の層のみを有してもよく、または、２個以上の層を有してもよい。
各画素領域２１には、分散液１４１が設けられている。
【００２４】
ここで、表示部１１の外周の側面には、封止部（図示せず）が設けられている。当該封止部は、分散液１４１を封止している。なお、当該封止部は、例えば、隔壁１１１〜１１２と一体として構成されてもよい。
【００２５】
また、表示部１１は、例えば、透明接着層（図示せず）と、導光部である導光体（図示せず）と、発光部である光源（図示せず）を備えてもよい。
具体的には、対向基板１０２には、画素基板１０１の側とは反対の側に、透明接着層が設けられる。当該透明接着層には、対向基板１０２の側とは反対の側に、導光体が設けられる。当該導光体の外周の一部に、光源が設けられる。なお、当該導光体は、例えば、板状の物体（導光板）であってもよい。当該導光体は、当該光源から発せられる光を導光し、これにより、フロントライトが実現される。当該光源としては、例えば、ＬＥＤ（Ｌｉｇｈｔ  Ｅｍｉｔｔｉｎｇ  Ｄｉｏｄｅ）が用いられてもよい。
なお、ここでは透明接着層が備えられる場合を示したが、他の構成例として、透明接着層の代わりに、フレーム（枠）を備えて、当該フレームによって導光体を支持し、対向基板１０２と当該導光体との間に空気層が設けられる構成が用いられてもよい。
本実施形態では、透明接着層（または、フレーム）、導光体および光源が、備えられてもよく、または、備えられなくてもよい。
【００２６】
電気泳動表示装置１では、制御部１２が、電圧を駆動して、各画素電極１２１〜１２３に印加する電圧と、対向電極１３１に印加する電圧を制御することで、各画素領域２１に表示される色（本実施形態では、白色または黒色）を制御する。これにより、表示面における表示の内容が制御される。本実施形態では、対向基板１０２の側の面が、表示の内容を出力する表示面となる。
【００２７】
例えば、画素電極１２１〜１２３と対向電極１３１との間に、相対的に対向電極１３１の電圧が高くなるように電圧を印加する。すると、対向電極１３１から画素電極１２１〜１２３に向かう電場が生じるので、正に帯電された白色粒子１５２は画素電極１２１〜１２３の側に泳動し、一方、負に帯電された黒色粒子１５３は対向電極１３１の側に泳動する。この結果、表示面の側（対向電極１３１の側）には黒色粒子１５３が集まることになり、表示面には当該黒色粒子１５３に対応する色（黒色）が表示される。
【００２８】
逆に、画素電極１２１〜１２３と対向電極１３１との間に、相対的に画素電極１２１〜１２３の電位が高くなるように電圧を印加する。すると、画素電極１２１〜１２３から対向電極１３１に向かう電場が生じるので、負に帯電された黒色粒子１５３は画素電極１２１〜１２３の側に泳動し、一方、正に帯電された白色粒子１５２は対向電極１３１の側に泳動する。この結果、表示面の側（対向電極１３１の側）には白色粒子１５２が集まることになり、表示面には当該白色粒子１５２に対応する色（白色）が表示される。
【００２９】
ここで、本実施形態では、画素基板１０１の側に隔壁１１１〜１１２が設けられ、対向基板１０２の側に接合層１０３が設けられたが、他の構成例として、画素基板１０１の側に接合層１０３が設けられ、対向基板１０２の側に隔壁１１１〜１１２が設けられる構成が用いられてもよい。
【００３０】
また、本実施形態では、白色粒子１５２と黒色粒子１５３が用いられるが、他の構成例として、他の色に対応する粒子が用いられてもよい。
また、本実施形態では、分散液１４１に含まれる粒子として、２色（白色、黒色）に対応する２種類の粒子が用いられるが、他の構成例として、１色に対応する１種類の粒子が用いられてもよく、または、３色以上に対応する３種類以上の粒子が用いられてもよい。
例えば、赤色、緑色、青色などの顔料を用いることによって、赤色、緑色、青色などを表示する表示部１１を備える電気泳動表示装置１とすることも可能である。
【００３１】
また、本実施形態では、隔壁１１１〜１１２により形成される画素領域２１ごとの空間（セルとなる閉空間）が並べられた形状として、スクエアの形状（例えば、長方体が並べられた形状）が用いられるが、他の構成例として、ハニカムの形状（正六角柱が並べられた形状）など、他の形状が用いられてもよい。
ここで、１つの閉空間に複数の画素電極があってもよく、また、画素電極上に隔壁があってもよい。
また、本実施形態では、隔壁１１１〜１１２により画素領域２１を形成する隔壁型が用いられるが、他の構成例として、分散液を収容するマイクロカプセルにより画素領域２１を形成するカプセル型が用いられてもよい。この場合、１個の画素電極に対して複数の閉空間が存在し得る場合がある。このように画素（電極）の配列と閉空間の配列との間に必ずしも関連を持たせる必要はない。ここで、隔壁１１１〜１１２あるいはマイクロカプセルは、領域形成部の例である。
【００３２】
［画素回路の構成例］
図３は、本発明の一実施形態（第１実施形態）に係る画素回路２０１の構成例を示す図である。
図３には、画素回路２０１として、第１の画素（以下、「画素Ａ」ともいう。）に関する回路と、第２の画素（以下、「画素Ｂ」ともいう。）に関する回路と、これらに共通な回路を示してある。画素Ａと画素Ｂは、互いに隣接する画素である。
なお、本実施形態では、１個の画素領域２１に１個の画素が設けられる場合を示すが、他の構成例として、１個の画素領域２１に２個以上の画素が設けられる構成が用いられてもよい。例えば、本実施形態では、それぞれの画素Ａ、Ｂごとに画素領域２１が形成されるが、他の構成例として、２個以上の所定個数の画素ごとに画素領域２１が形成されてもよい。
【００３３】
画素Ａと画素Ｂに共通な回路として、複数の画素を走査するための信号（走査信号）が伝送される走査線２１１を備える。
画素Ａに関する回路として、制御線（第１の制御線）２２１と、制御線（第２の制御線）２２２と、データ線２３１と、選択スイッチ用のＴＦＴ（Ｔｈｉｎ  Ｆｉｌｍ  Ｔｒａｎｓｉｓｔｏｒ）３０１と、インバーター３１１と、インバーター３１２と、トランスファーゲート３２１と、トランスファーゲート３４１を備える。トランスファーゲート３２１は、Ｎ−ＭＯＳ（Ｎｅｇａｔｉｖｅ  Ｍｅｔａｌ  Ｏｘｉｄｅ  Ｓｅｍｉｃｏｎｄｕｃｔｏｒ）３３１と、Ｐ−ＭＯＳ（Ｐｏｓｉｔｉｖｅ  Ｍｅｔａｌ  Ｏｘｉｄｅ  Ｓｅｍｉｃｏｎｄｕｃｔｏｒ）３３２を備える。トランスファーゲート３４１は、Ｎ−ＭＯＳ３５１と、Ｐ−ＭＯＳ３５２を備える。２個のインバーター３１１〜３１２の回路部分はメモリー（記憶回路）として用いられている。
画素Ｂに関する回路として、制御線（第３の制御線）２２３と、制御線（第４の制御線）２２４と、データ線２３２と、選択スイッチ用のＴＦＴ４０１と、インバーター４１１と、インバーター４１２と、トランスファーゲート４２１と、トランスファーゲート４４１を備える。トランスファーゲート４２１は、Ｎ−ＭＯＳ４３１と、Ｐ−ＭＯＳ４３２を備える。トランスファーゲート４４１は、Ｎ−ＭＯＳ４５１と、Ｐ−ＭＯＳ４５２を備える。２個のインバーター４１１〜４１２の回路部分はメモリー（記憶回路）として用いられている。
なお、第１の制御線２２１と第３の制御線２２３とが対応しており、第２の制御線２２２と第４の制御線２２４とが対応している。本実施形態では、各制御線２２１〜２２４として、例えば、電源線が用いられる。
【００３４】
ここで、本実施形態では、画素Ａに関する回路と画素Ｂに関する回路とは、画素Ａに関する回路における制御線２２１、２２２に印加される電圧と、画素Ｂに関する回路における制御線２２３、２２４に印加される電圧とが異なる点、画素Ａに関する回路におけるデータ線２３１に画素Ａに関するデータ（以下、「データＡ」ともいう。）が入力され、画素Ｂに関する回路におけるデータ線２３２に画素Ｂに関するデータ（以下、「データＢ」ともいう。）が入力される点、および画素Ａに関する回路における画素電極（本実施形態では、図２に示される画素電極１２１とする。）と画素Ｂに関する回路における画素電極（本実施形態では、図２に示される画素電極１２２とする。）とが異なる点を除いて、同様な構成を有し同様な動作を行う。
【００３５】
画素Ａに関する回路を例として説明する。
ＴＦＴ３０１のゲートに走査線２１１が接続されており、ＴＦＴ３０１の他の一端（ソース）にデータ線２３１が接続されており、ＴＦＴ３０１の残りの一端（ドレイン）にインバーター３１１の入力端、インバーター３１２の出力端、Ｎ−ＭＯＳ３５１のゲートおよびＰ−ＭＯＳ３３２のゲートが接続されている。
また、インバーター３１１の出力端、インバーター３１２の入力端、Ｎ−ＭＯＳ３３１のゲート、Ｐ−ＭＯＳ３５２のゲートが接続されている。
また、Ｎ−ＭＯＳ３３１の他の一端（ソース）およびＰ−ＭＯＳ３３２の他の一端（ソース）が第１の制御線２２１と接続されている。また、Ｎ−ＭＯＳ３５１の他の一端（ソース）およびＰ−ＭＯＳ３５２の他の一端（ソース）が第２の制御線２２２と接続されている。
また、Ｎ−ＭＯＳ３３１の残りの一端（ドレイン）、Ｐ−ＭＯＳ３３２の残りの一端（ドレイン）、Ｎ−ＭＯＳ３５１の残りの一端（ドレイン）およびＰ−ＭＯＳ３５２の残りの一端（ドレイン）と、画素Ａの画素電極（本実施形態では、図２に示される画素電極１２１）とが接続されている。
【００３６】
画素Ａに関する回路では、データ線２３１に入力されるデータＡが二値（例えば、ロウレベルとハイレベル）のうちのいずれかの値である。ＴＦＴ３０１は、ゲートにハイレベルが印加されたときに、データＡの電位を記憶する。そして、データＡの値が二値のうちの一方（本実施形態では、ロウレベル）である場合には、第１の制御線２２１に印加される電圧♯１が画素Ａの画素電極に印加される。一方、データＡの値が二値のうちの他方（本実施形態では、ハイレベル）である場合には、第２の制御線２２２に印加される電圧♯２が画素Ａの画素電極に印加される。
【００３７】
同様に、画素Ｂに関する回路では、データ線２３２に入力されるデータＢが二値（例えば、ロウレベルとハイレベル）のうちのいずれかの値である。そして、データＢの値が二値のうちの一方（本実施形態では、ロウレベル）である場合には、第３の制御線２２３に印加される電圧♯３が画素Ｂの画素電極（本実施形態では、図２に示される画素電極１２２）に印加される。一方、データＢの値が二値のうちの他方（本実施形態では、ハイレベル）である場合には、第４の制御線２２４に印加される電圧♯４が画素Ｂの画素電極に印加される。
なお、例えば、データＡ、Ｂのハイレベル（Ｈ）としては０［ボルト］より高い所定電圧［ボルト］が用いられ、データＡ、Ｂのロウレベル（Ｌ）としては０［ボルト］が用いられる。本実施形態では、対向電極１３１にかけられる電位のうちで最低の電位を基準電位としてあり、当該基準電位をロウレベルとしてある。
【００３８】
本実施形態では、制御部１２は、画素Ａに関する回路において、データＡをロウレベルに設定することで画素Ａに黒色の表示を行うように制御し、データＡをハイレベルに設定することで画素Ａに白色の表示を行うように制御する。
同様に、制御部１２は、画素Ｂに関する回路において、データＢをロウレベルに設定することで画素Ｂに黒色の表示を行うように制御し、データＢをハイレベルに設定することで画素Ｂに白色の表示を行うように制御する。
【００３９】
［画素電極および対向電極に印加される電圧の例］
図４は、本発明の一実施形態（第１実施形態）に係る画素電極（ここでは、画素電極１２１〜１２２）および対向電極１３１に印加される電圧の一例を示す図である。
図４には、２個の画素Ａ、Ｂに共通な対向電極１３１（ＶＣＯＭ）に印加される電圧１００１と、黒表示の際に画素Ａの画素電極１２１に印加される電圧１０１１（＝電圧♯１）と、黒表示の際に画素Ｂの画素電極１２２に印加される電圧１０１２（＝電圧♯３）と、白表示の際に画素Ａの画素電極１２１に印加される電圧１０１３（＝電圧♯２）と、白表示の際に画素Ｂの画素電極１２２に印加される電圧１０１４（＝電圧♯４）について、電圧波形の時間変化の一例を示してある。
【００４０】
図４に示されるグラフにおいて、横軸は時刻を表わしており、縦軸はそれぞれの電圧１００１、１０１１〜１０１４ごとに電圧の大きさ（高低）を表している。
ここで、図４の例では、時刻Ｔ１〜時刻Ｔ７は、その順に進んでいく時刻を表している。時刻Ｔ１よりも時刻Ｔ７の方が後の時刻である。
また、本実施形態では、それぞれの電圧１００１、１０１１〜１０１４は、理論値としては、ハイレベル（Ｈ）である電圧（例えば、０より高い所定電圧［ボルト］）と、ロウレベル（Ｌ）である電圧（例えば、０［ボルト］）とのうちのいずれかの値に切り替えられる。なお、実際の電圧波形は、多少の歪み等があってもよい。
【００４１】
本実施形態では、時刻Ｔ１から時刻Ｔ７までの期間を、各画素Ａ、Ｂの表示を制御する駆動を行う単位の期間（駆動単位期間）としてある。制御部１２は、駆動単位期間ごとに、各画素Ａ、Ｂの表示を制御する。駆動単位期間ごとの電圧制御は、例えば、１回の駆動単位期間のみ行われてもよく、または、複数回の駆動単位期間にわたって繰り返して行われてもよい。
本実施形態では、時刻Ｔ１から時刻Ｔ４までの期間と、時刻Ｔ４から時刻Ｔ７までの期間とは、同じ長さである。
本実施形態では、時刻Ｔ１から時刻Ｔ２までの期間と、時刻Ｔ３から時刻Ｔ４までの期間と、時刻Ｔ４から時刻Ｔ５までの期間と、時刻Ｔ６から時刻Ｔ７までの期間は、それぞれ、同じ長さ（ここで、長さＬ１と呼ぶ。）である。これにより、時刻Ｔ２から時刻Ｔ３までの期間と、時刻Ｔ５から時刻Ｔ６までの期間とは、同じ長さ（ここで、長さＬ２と呼ぶ。）である。また、本実施形態では、長さＬ１よりも長さＬ２の方が長い。
【００４２】
対向電極１３１に印加される電圧１００１は、時刻Ｔ１から時刻Ｔ４まではハイレベルであり、時刻Ｔ４から時刻Ｔ７まではロウレベルである。
黒表示の際に画素Ａの画素電極１２１に印加される電圧１０１１は、時刻Ｔ１から時刻Ｔ３までロウレベルであり、時刻Ｔ３から時刻Ｔ４までハイレベルであり、時刻Ｔ４から時刻Ｔ７までロウレベルである。
黒表示の際に画素Ｂの画素電極１２２に印加される電圧１０１２は、時刻Ｔ１から時刻Ｔ２までハイレベルであり、時刻Ｔ２から時刻Ｔ７までロウレベルである。
白表示の際に画素Ａの画素電極１２１に印加される電圧１０１３は、時刻Ｔ１から時刻Ｔ６までハイレベルであり、時刻Ｔ６から時刻Ｔ７までロウレベルである。
白表示の際に画素Ｂの画素電極１２２に印加される電圧１０１４は、時刻Ｔ１から時刻Ｔ４までハイレベルであり、時刻Ｔ４から時刻Ｔ５までロウレベルであり、時刻Ｔ５から時刻Ｔ７までハイレベルである。
【００４３】
ここで、隣接する２個の画素Ａ、Ｂのメモリーの状態（データＡ、Ｂの状態）が共にロウレベルであるときについて説明する。
このとき、２個の画素Ａ、Ｂは共に黒表示となり、画素Ａの画素電極１２１には制御線２２１が導通されて電圧１０１１が印加され、画素Ｂの画素電極１２２には制御線２２３が導通されて電圧１０１２が印加される。この場合、時刻Ｔ１から時刻Ｔ２までは、対向電極１３１の電圧を基準電圧として、画素Ａの画素電極１２１の電圧は負電圧となり、画素Ｂの画素電極１２２の電圧は基準電圧と等しくなる。すると、画素Ｂの画素電極１２２と対向電極１３１との間の電位差が０である一方、画素Ａの画素電極１２１と対向電極１３１との間の電位差が０でないことにより、電場が不均一になり、粒子（本実施形態では、白色粒子１５２および黒色粒子１５３）の移動の拮抗が破れて、粒子の移動が速やかに行われ、例えば、白表示から黒表示への変更が速くなる。
なお、この場合、画素Ａについては時刻Ｔ１から時刻Ｔ３まで黒表示のための粒子の移動が発生し、画素Ｂについては時刻Ｔ２から時刻Ｔ４まで黒表示のための粒子の移動が発生する。
【００４４】
また、隣接する２個の画素Ａ、Ｂのメモリーの状態（データＡ、Ｂの状態）が共にハイレベルであるときについて説明する。
このとき、２個の画素Ａ、Ｂは共に白表示となり、画素Ａの画素電極１２１には制御線２２２が導通されて電圧１０１３が印加され、画素Ｂの画素電極１２２には制御線２２４が導通されて電圧１０１４が印加される。この場合、時刻Ｔ４から時刻Ｔ５までは、対向電極１３１の電圧を基準電圧として、画素Ａの画素電極１２１の電圧は正電圧となり、画素Ｂの画素電極１２２の電圧は基準電圧と等しくなる。すると、画素Ｂの画素電極１２２と対向電極１３１との間の電位差が０である一方、画素Ａの画素電極１２１と対向電極１３１との間の電位差が０でないことにより、電場が不均一になり、粒子（本実施形態では、白色粒子１５２および黒色粒子１５３）の移動の拮抗が破れて、粒子の移動が速やかに行われ、例えば、黒表示から白表示への変更が速くなる。
なお、この場合、画素Ａについては時刻Ｔ４から時刻Ｔ６まで白表示のための粒子の移動が発生し、画素Ｂについては時刻Ｔ５から時刻Ｔ７まで白表示のための粒子の移動が発生する。
【００４５】
また、一方の画素Ａのメモリーの状態（データＡの状態）がロウレベルであり、他方の画素Ｂのメモリーの状態（データＢの状態）がハイレベルであるときについて説明する。
このとき、画素Ａは黒表示となり、画素Ｂは白表示となる。画素Ａの画素電極１２１には電圧１０１１が印加され、画素Ｂの画素電極１２２には電圧１０１４が印加される。
この場合、時刻Ｔ１から時刻Ｔ３までは、対向電極１３１の電圧を基準電圧として、画素Ａの画素電極１２１の電圧は負電圧となり、画素Ｂの画素電極１２２の電圧は基準電圧と等しくなる。すると、画素Ｂの画素電極１２２と対向電極１３１との間の電位差が０である一方、画素Ａの画素電極１２１と対向電極１３１との間の電位差が０でないことにより、電場が不均一になり、粒子（本実施形態では、白色粒子１５２および黒色粒子１５３）の移動の拮抗が破れて、粒子の移動が速やかに行われ、例えば、画素Ａについて白表示から黒表示への変更が速くなる。
また、この場合、時刻Ｔ５から時刻Ｔ７までは、対向電極１３１の電圧を基準電圧として、画素Ａの画素電極１２１の電圧は基準電圧と等しくなり、画素Ｂの画素電極１２２の電圧は正電圧となる。すると、画素Ａの画素電極１２１と対向電極１３１との間の電位差が０である一方、画素Ｂの画素電極１２２と対向電極１３１との間の電位差が０でないことにより、電場が不均一になり、粒子（本実施形態では、白色粒子１５２および黒色粒子１５３）の移動の拮抗が破れて、粒子の移動が速やかに行われ、例えば、画素Ｂについて黒表示から白表示への変更が速くなる。例えば、画素Ｂについて黒表示から白表示への変更が速くなる。
なお、この場合、画素Ａについては時刻Ｔ１から時刻Ｔ３まで黒表示のための粒子の移動が発生し、画素Ｂについては時刻Ｔ５から時刻Ｔ７まで白表示のための粒子の移動が発生する。
【００４６】
また、一方の画素Ａのメモリーの状態（データＡの状態）がハイレベルであり、他方の画素Ｂのメモリーの状態（データＢの状態）がロウレベルであるときについて説明する。
このとき、画素Ａは白表示となり、画素Ｂは黒表示となる。画素Ａの画素電極１２１には電圧１０１３が印加され、画素Ｂの画素電極１２２には電圧１０１２が印加される。
この場合、時刻Ｔ２から時刻Ｔ４までは、対向電極１３１の電圧を基準電圧として、画素Ａの画素電極１２１の電圧は基準電圧と等しくなり、画素Ｂの画素電極１２２の電圧は負電圧となる。すると、画素Ａの画素電極１２１と対向電極１３１との間の電位差が０である一方、画素Ｂの画素電極１２２と対向電極１３１との間の電位差が０でないことにより、電場が不均一になり、粒子（本実施形態では、白色粒子１５２および黒色粒子１５３）の移動の拮抗が破れて、粒子の移動が速やかに行われ、例えば、画素Ｂについて白表示から黒表示への変更が速くなる。
また、この場合、時刻Ｔ４から時刻Ｔ６までは、対向電極１３１の電圧を基準電圧として、画素Ａの画素電極１２１の電圧は正電圧となり、画素Ｂの画素電極１２２の電圧は基準電圧と等しくなる。すると、画素Ｂの画素電極１２１と対向電極１３１との間の電位差が０である一方、画素Ａの画素電極１２２と対向電極１３１との間の電位差が０でないことにより、電場が不均一になり、粒子（本実施形態では、白色粒子１５２および黒色粒子１５３）の移動の拮抗が破れて、粒子の移動が速やかに行われ、例えば、画素Ａについて黒表示から白表示への変更が速くなる。
なお、この場合、画素Ａについては時刻Ｔ４から時刻Ｔ６まで白表示のための粒子の移動が発生し、画素Ｂについては時刻Ｔ２から時刻Ｔ４まで黒表示のための粒子の移動が発生する。
【００４７】
ここで、図４の例では、黒表示の際に、対向電極１３１のハイレベルの期間の終わり間際（時刻Ｔ３から時刻Ｔ４までの期間）で、画素Ａの画素電極１２１に印加される電圧１０１１がハイレベルになっている理由は、黒表示に関し、隣接する画素Ｂ（電圧１０１２）との間で、ハイレベルの電圧が印加される時間を同じにするためであり、これにより、例えば、隣接する画素Ａ、Ｂの間で表示のムラ等を抑制する（または、防ぐ）ことができる。
他の構成例として、駆動単位期間の間、電圧１０１１が常にロウレベルにし続けられる構成が用いられてもよい。
【００４８】
また、図４の例では、白表示の際に、対向電極１３１のロウレベルの期間の終わり間際（時刻Ｔ６から時刻Ｔ７までの期間）で、画素Ａの画素電極１２１に印加される電圧１０１３がロウレベルになっている理由は、白表示の際に、隣接する画素Ｂ（電圧１０１４）との間で、ハイレベルの電圧が印加される時間を同じにするためであり、これにより、例えば、隣接する画素Ａ、Ｂの間で表示のムラ等を抑制する（または、防ぐ）ことができる。
他の構成例として、駆動単位期間の間、電圧１０１３が常にハイレベルにし続けられる構成が用いられてもよい。
【００４９】
また、図４の例では、黒表示の際に、対向電極１３１のハイレベルの期間の初め（時刻Ｔ１から時刻Ｔ２までの期間）で、画素Ｂの画素電極１２２に印加される電圧１０１２がハイレベルになっている理由は、黒表示に関し、初期のタイミングで粒子の移動を円滑にすることを図るためである。
他の構成例として、黒表示の際に、対向電極１３１のハイレベルの期間のうちの初期よりも後のタイミングで、画素Ｂの画素電極１２２に印加される電圧１０１２がハイレベルにされてもよい。なお、通常は、当該タイミングは、対向電極１３１のハイレベルの期間のうちの最期よりも前のタイミングにされると考えられる。
【００５０】
また、図４の例では、白表示の際に、対向電極１３１のロウレベルの期間の初め（時刻Ｔ４から時刻Ｔ５までの期間）で、画素Ｂの画素電極１２２に印加される電圧１０１４がロウレベルになっている理由は、白表示に関し、初期のタイミングで粒子の移動を円滑にすることを図るためである。
他の構成例として、白表示の際に、対向電極１３１のロウレベルの期間のうちの初期よりも後のタイミングで、画素Ｂの画素電極１２２に印加される電圧１０１４がロウレベルにされてもよい。なお、通常は、当該タイミングは、対向電極１３１のロウレベルの期間のうちの最期よりも前のタイミングにされると考えられる。
【００５１】
ここで、図４の例では、画素Ａについて、黒表示の際に電圧１０１１（電圧♯１）を使用し、白表示の際に電圧１０１３（電圧♯２）を使用し、また、画素Ｂについて、黒表示の際に電圧１０１２（電圧♯３）を使用し、白表示の際に電圧１０１４（電圧♯４）を使用した。
他の構成例として、制御部１２は、画素Ａと画素Ｂとで、２つの電圧の第１の組み合わせ（電圧♯１および電圧♯２）と、２つの電圧の第２の組み合わせ（電圧♯３および電圧♯４）とを、互いに同期させて、それぞれの画素Ａ、Ｂに異なる組み合わせを使用するように切り替えてもよい。つまり、制御部１２は、画素Ａに第１の組み合わせを使用するときには、画素Ｂに第２の組み合わせを使用するように制御し、また、画素Ａに第２の組み合わせを使用するときには、画素Ｂに第１の組み合わせを使用するように制御する。この場合、第１の組み合わせと第２の組み合わせとの切り替えは、例えば、それぞれの電圧が印加される制御線を切り替えることで行われてもよく、または、制御線の切り替えを行う代わりに、それぞれの制御線に印加される電圧を切り替えることで行われてもよい。
【００５２】
また、制御部１２は、画素Ａと画素Ｂとで、それぞれ、任意の表示の制御（色の制御）を行ってもよい。
例えば、制御部１２は、画素Ａと画素Ｂとで、同じ色を表示するように、駆動する電圧を制御してもよい。
例えば、制御部１２は、画素Ａと画素Ｂとで、異なる色を表示するように、駆動する電圧を制御してもよい。
例えば、制御部１２は、画素Ａと画素Ｂとで、同じ色を表示する状態から他の色を表示する状態へ変化するように、駆動する電圧を制御してもよい。
例えば、制御部１２は、画素Ａと画素Ｂとで、一方については白色または黒色を表示するように制御し、他方については中間色（例えば、灰色）を表示するように制御してもよい。
例えば、制御部１２は、画素Ａと画素Ｂとで、一方については白色または黒色を表示する状態から他の色を表示する状態へ変化するように制御し、他方については中間色（例えば、灰色）を表示する状態から他の色を表示する状態へ変化するように制御してもよい。
【００５３】
なお、表示部１１では、例えば、２個の画素Ａ、Ｂの画素領域２１が隔壁（図２の例では、隔壁１１１）によって仕切られていても、隔壁をとおして電場の影響があるため、本実施形態の電圧制御が有効である。
【００５４】
［複数の画素の電圧制御の例］
上記では、図３および図４を参照して、隣接する２個の画素Ａ、Ｂについて電圧制御を行う場合について説明した。
ここで、通常、表示部１１は多数の画素（多数の画素領域２１）を有する。本実施形態では、表示部１１が有する多数の画素のそれぞれに、画素Ａの電圧制御（それと同様な電圧制御）または画素Ｂの電圧制御（それと同様な電圧制御）のうちのいずれかを割り当てて、制御部１２により各画素の電圧制御を行う。
【００５５】
図５〜図８を参照して、複数の画素の電圧制御の割り当ての例を示す。
図５〜図８の例では、表示部１１が有する複数の画素を縦横のマトリクス状に示してある。そして、それぞれの画素ごとに、図４を参照して説明した画素Ａの電圧制御と画素Ｂの電圧制御のうちで割り当てられた電圧制御を示してある。図５の例では、「Ａ」という文字が示された画素に対して画素Ａの電圧制御が行われ、「Ｂ」という文字が示された画素に対して画素Ｂの電圧制御が行われる。
【００５６】
図５は、本発明の一実施形態（第１実施形態）に係る複数の画素の電圧制御の割り当て２０１１の例（第１の例）を示す図である。
図５の例では、横方向に並んだ複数の画素のすべてについて画素Ａの電圧制御が行われる行と、横方向に並んだ複数の画素のすべてについて画素Ｂの電圧制御が行われる行とが、交互に縦方向に並べられた配置となっている。そして、縦方向に隣接する２個の画素が、画素Ａと画素Ｂとの関係（それと同様な関係）となっている。
【００５７】
図６は、本発明の一実施形態（第１実施形態）に係る複数の画素の電圧制御の割り当て２０２１の例（第２の例）を示す図である。
図６の例では、縦方向に並んだ複数の画素のすべてについて画素Ａの電圧制御が行われる列と、縦方向に並んだ複数の画素のすべてについて画素Ｂの電圧制御が行われる列とが、交互に横方向に並べられた配置となっている。そして、横方向に隣接する２個の画素が、画素Ａと画素Ｂとの関係（それと同様な関係）となっている。
【００５８】
図７は、本発明の一実施形態（第１実施形態）に係る複数の画素の電圧制御の割り当て２０３１の例（第３の例）を示す図である。
図７の例では、縦方向に並んだ複数の画素に画素Ａの電圧制御と画素Ｂの電圧制御が交互に割り当てられ、かつ、横方向に並んだ複数の画素に画素Ａの電圧制御と画素Ｂの電圧制御が交互に割り当てられた配置となっている。そして、横方向に隣接する２個の画素が、画素Ａと画素Ｂとの関係（それと同様な関係）となっており、かつ、縦方向に隣接する２個の画素が、画素Ａと画素Ｂとの関係（それと同様な関係）となっている。
【００５９】
図８は、本発明の一実施形態（第１実施形態）に係る複数の画素の電圧制御の割り当て２０４１の例（第４の例）を示す図である。
図８の例では、横方向に並んだ複数の画素のすべてについて画素Ａの電圧制御が行われる１行と、横方向に並んだ複数の画素のすべてについて画素Ｂの電圧制御が行われる１行とが、縦方向に並べられている。続いて、横方向に並んだ複数の画素のすべてについて画素Ｂの電圧制御が行われる１行と、横方向に並んだ複数の画素のすべてについて画素Ａの電圧制御が行われる１行とが、縦方向に並べられている。さらに続けて、これらの４行と同じ電圧制御が割り当てられた４行が繰り返して並べられている。そして、縦方向の一方（上方向、または、下方向）に隣接する２個の画素が、画素Ａと画素Ｂとの関係（それと同様な関係）となっている。
【００６０】
［画素電極および対向電極に印加される電圧の他の例］
図９は、本発明の一実施形態（第１実施形態）に係る画素電極（ここでは、画素電極１２１〜１２２）および対向電極１３１に印加される電圧の他の一例を示す図である。
図９には、２個の画素Ａ、Ｂに共通な対向電極１３１（ＶＣＯＭ）に印加される電圧１１０１と、黒表示の際に画素Ａの画素電極１２１に印加される電圧１１１１（＝電圧♯１）と、黒表示の際に画素Ｂの画素電極１２２に印加される電圧１１１２（＝電圧♯３）と、白表示の際に画素Ａの画素電極１２１に印加される電圧１１１３（＝電圧♯２）と、白表示の際に画素Ｂの画素電極１２２に印加される電圧１１１４（＝電圧♯４）について、電圧波形の時間変化の一例を示してある。
【００６１】
図９に示されるグラフにおいて、横軸は時刻を表わしており、縦軸はそれぞれの電圧１１０１、１１１１〜１１１４ごとに電圧の大きさ（高低）を表している。
また、図９の例では、時刻Ｔ１〜時刻Ｔ７および駆動単位期間は、図４の例の場合と同じである。
【００６２】
図９の例では、対向電極１３１に印加される電圧１１０１と、白表示の際に画素Ａの画素電極１２１に印加される電圧１１１３と、白表示の際に画素Ｂの画素電極１２２に印加される電圧１１１４は、それぞれ、図４の例における対応する電圧（電圧１００１、電圧１０１３、電圧１０１４）と同じ波形を有する。
また、図９の例では、黒表示の際に画素Ａの画素電極１２１に印加される電圧１１１１と、黒表示の際に画素Ｂの画素電極１２２に印加される電圧１１１２は、共に、駆動単位期間において、常にロウレベルである。
【００６３】
図９の例における電圧制御では、白表示については粒子の移動の円滑化が図られる一方、黒表示については粒子の移動の円滑化が図られない。
このため、例えば、表示部１１において、図４の例における電圧制御が適用されない状態では、白表示から黒表示への変化と比べて、黒表示から白表示への変化が遅い電気泳動の特性を有する場合に、図９の例における電圧制御を適用することで、黒表示から白表示への変化を速めることができる。これにより、白表示から黒表示への変化の速さと、黒表示から白表示への変化の速さとを近付ける（例えば、揃える）ように調整することが可能である。
また、図９の例では、黒表示を行うための画素Ａの電圧１１１１の制御線と、黒表示を行うための画素Ｂの電圧１１１２の制御線とを共通化することができ、画素回路のレイアウトを簡易化することが可能である。
【００６４】
ここで、図９の例とは逆に、図４の例における黒表示を行うための画素Ａの電圧１０１１および黒表示を行うための画素Ｂの電圧１０１２を使用する一方、白表示を行うための画素Ａの電圧および白表示を行うための画素Ｂの電圧を共に駆動単位期間において常にハイレベルにすることが可能である。この場合、黒表示については粒子の移動の円滑化が図られる一方、白表示については粒子の移動の円滑化が図られない。これにより、図９の例と同様な効果（白色と黒色とを入れ替えた効果）を得ることができる。
【００６５】
このように、例えば、表示部１１において、白表示から黒表示への変化の速さと黒表示から白表示への変化の速さとが異なる場合に、両者の変化の速さを近付ける（例えば、揃える）ように調整することが可能である。これにより、例えば、表示の更新時における見栄えを良くすることなどが可能である。
【００６６】
［画素回路の他の構成例］
図１０は、本発明の一実施形態（第１実施形態）に係る画素回路５０１の他の構成例を示す図である。
図１０は、画素Ａに関する画素回路５０１を示してある。画素Ｂに関する画素回路も同様である。
画素回路５０１は、走査線６１１と、データ線６２１と、データ線６２２と、ＴＦＴ７０１と、トランジスター７１１と、コンデンサー７２１と、ＴＦＴ８０１と、トランジスター８１１と、コンデンサー８２１を備える。
図１０の例では、トランジスター７１１およびトランジスター８１１は、Ｎ−ＭＯＳである。
【００６７】
ＴＦＴ７０１のゲートおよびＴＦＴ８０１のゲートに走査線６１１が接続されている。
ＴＦＴ７０１のソースにデータ線６２１が接続されている。ＴＦＴ８０１のソースにデータ線６２２が接続されている。
ＴＦＴ７０１のドレインと、トランジスター７１１のゲートと、コンデンサー７２１の一端とが接続されている。コンデンサー７２１の他端は接地されている。
ＴＦＴ８０１のドレインと、トランジスター８１１のゲートと、コンデンサー８２１の一端とが接続されている。コンデンサー８２１の他端は接地されている。
トランジスター７１１のソースに電圧♯１が印加されている。トランジスター８１１のソースに電圧♯２が印加されている。
トランジスター７１１のドレインと、トランジスター８１１のドレインと、画素Ａの画素電極（例えば、図２の例における画素電極１２１）とが接続されている。
【００６８】
データ線６２１には、データＡが入力される。データＡは、二値（例えば、ロウレベルとハイレベル）のうちのいずれかの値である。データ線６２２には、データＡのハイレベルとロウレベルとを反転させた値が入力される。
図１０の例における画素回路５０１では、データＡがハイレベル（例えば、１）であるときに、電圧♯１が画素Ａの画素電極に印加され、また、データＡがロウレベル（例えば、０）であるときに、電圧♯２が画素Ａの画素電極に印加される。
なお、他の構成例として、トランジスター７１１およびトランジスター８１１としてＰ−ＭＯＳが用いられて、電圧♯１と電圧♯２とが逆に配置されてもよい。
【００６９】
［対比技術の説明］
ここで、本実施形態に係る電気泳動表示装置１の表示部１１に対する対比技術の例を示す。
図１４は、対比技術に係る画素回路３００１の構成例を示す図である。
画素回路３００１は、画素Ａと画素Ｂに共通な回路として、走査線３０１１を備える。
画素Ａに関する回路として、制御線３０２１と、制御線３０２２と、データ線３０３１と、選択スイッチ用のＴＦＴ３１０１と、インバーター３１１１と、インバーター３１１２と、トランスファーゲート３１２１と、トランスファーゲート３１４１を備える。トランスファーゲート３１２１は、Ｎ−ＭＯＳ３１３１と、Ｐ−ＭＯＳ３１３２を備える。トランスファーゲート３１４１は、Ｎ−ＭＯＳ３１５１と、Ｐ−ＭＯＳ３１５２を備える。２個のインバーター３１１１〜３１１２の回路部分はメモリーとして用いられている。
画素Ｂに関する回路として、制御線３０２３と、制御線３０２４と、データ線３０３２と、選択スイッチ用のＴＦＴ３２０１と、インバーター３２１１と、インバーター３２１２と、トランスファーゲート３２２１と、トランスファーゲート３２４１を備える。トランスファーゲート３２２１は、Ｎ−ＭＯＳ３２３１と、Ｐ−ＭＯＳ３２３２を備える。トランスファーゲート３２４１は、Ｎ−ＭＯＳ３２５１と、Ｐ−ＭＯＳ３２５２を備える。２個のインバーター３２１１〜３２１２の回路部分はメモリーとして用いられている。
【００７０】
ここで、図１４の例における画素回路３００１では、図３に示される画素回路２０１と比べて、画素Ａに関する回路における制御線３０２１と、画素Ｂに関する回路における制御線３０２３とに、共通の電圧♯１１が印加される点、および画素Ａに関する回路における制御線３０２２と、画素Ｂに関する回路における制御線３０２４とに、共通の電圧♯１２が印加される点が異なっている。
【００７１】
図１５は、対比技術に係る画素電極および対向電極に印加される電圧の一例を示す図である。
図１５の例では、画素Ａと画素Ｂとで、同じ色（本例では、白色、または、黒色）を表示するときに印加される電圧は共通である。
図１５には、対向電極（ＶＣＯＭ）に印加される電圧３３０１と、黒表示の際に画素電極に印加される電圧３３１１（＝電圧♯１１）と、白表示の際に画素電極に印加される電圧３３１２（＝電圧♯１２）について、電圧波形の時間変化の一例を示してある。
【００７２】
図１５に示されるグラフにおいて、横軸は時刻を表わしており、縦軸はそれぞれの電圧３３０１、３３１１〜３３１２ごとに電圧の大きさ（高低）を表している。
ここで、図１５の例では、時刻Ｔ２１〜時刻Ｔ２３は、その順に進んでいく時刻を表している。時刻Ｔ２１よりも時刻Ｔ２３の方が後の時刻である。
対向電極に印加される電圧３３０１は、駆動単位期間において、時刻Ｔ２１から時刻Ｔ２２までハイレベルであり、時刻Ｔ２２から時刻Ｔ２３までロウレベルである。当該電圧３３０１の波形は、デューティが５０パーセントである矩形波である。
黒表示の際に画素電極に印加される電圧３３１１は、駆動単位期間において、常にロウレベルである。
白表示の際に画素電極に印加される電圧３３１２は、駆動単位期間において、常にハイレベルである。
なお、図１５の例における時刻Ｔ２１、時刻Ｔ２２、時刻Ｔ２３は、それぞれ、図４の例における時刻Ｔ１、時刻Ｔ４、時刻Ｔ７に対応する。
【００７３】
ここで、隣接する２個の画素Ａ、Ｂのメモリーの状態（データＡ、Ｂの状態）が共にロウレベルであるときについて説明する。
このとき、２個の画素Ａ、Ｂは共に黒表示となり、画素Ａの画素電極および画素Ｂの画素電極に電圧３３１１が印加される。この場合、時刻Ｔ２１から時刻Ｔ２２までは、対向電極の電圧を基準電圧として、画素Ａの画素電極および画素Ｂの画素電極の電圧は負電圧となる。すると、隣接する２個の画素Ａ、Ｂの画素電極と対向電極との間に生じる電場が均一になり、（図４の例の場合と比べて）粒子の移動は遅い。また、この場合、時刻Ｔ２２から時刻Ｔ２３までは、対向電極の電圧を基準電圧として、画素Ａの画素電極および画素Ｂの画素電極の電圧は基準電圧と等しくなる。すると、隣接する２個の画素Ａ、Ｂの画素電極と対向電極との間の電場は消失し、粒子の移動は停止する。
【００７４】
また、隣接する２個の画素Ａ、Ｂのメモリーの状態（データＡ、Ｂの状態）が共にハイレベルであるときについて説明する。
このとき、２個の画素Ａ、Ｂは共に白表示となり、画素Ａの画素電極および画素Ｂの画素電極に電圧３３１２が印加される。この場合、時刻Ｔ２１から時刻Ｔ２２までは、対向電極の電圧を基準電圧として、画素Ａの画素電極および画素Ｂの画素電極の電圧は基準電圧と等しくなる。すると、隣接する２個の画素Ａ、Ｂの画素電極と対向電極との間の電場は消失し、粒子の移動は停止する。また、この場合、時刻Ｔ２２から時刻Ｔ２３までは、対向電極の電圧を基準電圧として、画素Ａの画素電極および画素Ｂの画素電極の電圧は正電圧となる。すると、隣接する２個の画素Ａ、Ｂの画素電極と対向電極との間に生じる電場が均一になり、（図４の例の場合と比べて）粒子の移動は遅い。
【００７５】
本実施形態に係る電気泳動表示装置１の表示部１１では、上記のような対比技術に係る電気泳動表示装置の表示部において発生する問題を解消することが可能である。
【００７６】
［第１実施形態のまとめ］
以上のように、本実施形態に係る電気泳動表示装置１では、表示部１１において、表示の内容（表示の色）を書き換えるときに、隣接する２個の画素（画素Ａと画素Ｂ）のそれぞれの画素電極（例えば、画素電極１２１、画素電極１２２）に印加する電圧（対向電極１３１に対する電位）が異なる期間を設けた。これにより、表示部１１において、隣接する２個の画素について、不均一な電場が生じる期間を発生させることで、帯電した粒子（白色粒子１５２、黒色粒子１５３）の移動の拮抗状態を速やかに解消することができ、帯電した粒子と分散媒１５１の滑らかな流動を生じさせて、粒子の移動を速めることができる。
【００７７】
具体例として、本実施形態に係る電気泳動表示装置１では、表示部１１において、次のような構成とした。
すなわち、それぞれの画素のメモリーの状態（データの値）に応じて、２個の制御線（２個の異なる電圧）のうちの一方を画素電極と接続する回路において、隣接する２個の画素Ａ、Ｂのうちの一方は第１の制御線（図３の例では、制御線２２１）と第２の制御線（図３の例では、制御線２２２）を使用し、他方は第３の制御線（図３の例では、制御線２２３）と第４の制御線（図３の例では、制御線２２４）を使用する。そして、制御部１２は、表示の書き換え時に、第１の制御線と第３の制御線とで画素電極に印加する電圧（対向電極１３１に対する電位）が互いに異なる期間と、第２の制御線と第４の制御線とで画素電極に印加する電圧（対向電極１３１に対する電位）が互いに異なる期間との少なくとも一方の期間を設けた。
【００７８】
以上のように、本実施形態に係る電気泳動表示装置１では、表示部１１において、表示色の変更を円滑に行うことができる。
例えば、表示部１１において、隣接する２個の画素のメモリーの状態（色を決めるデータの値）が同じであるときにおいても、これら２個の画素の画素電極の間で電位（対向電極１３１に対する電位）が異なる期間が生じる。これにより、表示部１１において、粒子の流れを円滑化することができ、例えば、表示の書き換えを高速応答にすることができる。
【００７９】
また、本実施形態では、制御部１２が表示部１１の各画素の画素電極に印加する電圧を制御する電気泳動表示装置１を示したが、これに限られない。例えば、制御部１２の機能を備えた制御装置が実施されてもよく、または、制御部１２が表示部１１を駆動する方法と同様な方法を実行する駆動方法が実施されてもよい。
【００８０】
（第２実施形態）
図１１〜図１３を参照して、本発明の実施形態に係る電子機器の概略的な構成例を示す。本実施形態では、以上の実施形態に係る電気泳動表示装置（第１実施形態に係る電気泳動表示装置１）を適用した電子機器の具体例を示す。
【００８１】
図１１は、本発明の一実施形態（第２実施形態の第１の例）に係る電子機器の概略的な構成例を示す図である。
具体的には、図１１は、電子機器の一例である電子ブック１５０１を示す斜視図である。
電子ブック１５０１は、ブック形状のフレーム１５１１と、以上の実施形態に係る電気泳動表示装置１が適用された表示部１５１２と、操作部１５１３を備える。
【００８２】
図１２は、本発明の一実施形態（第２実施形態の第２の例）に係る電子機器の概略的な構成例を示す図である。
具体的には、図１２は、電子機器の一例である腕時計１５５１を示す斜視図である。
腕時計１５５１は、以上の実施形態に係る電気泳動表示装置１が適用された表示部１５６１を備える。
【００８３】
図１３は、本発明の一実施形態（第２実施形態の第３の例）に係る電子機器の概略的な構成例を示す図である。
具体的には、図１３は、電子機器の一例である電子ペーパー１５７１を示す斜視図である。
電子ペーパー１５７１は、紙と同様の質感および柔軟性を有するリライタブルシートで構成される本体部１５８１と、以上の実施形態に係る電気泳動表示装置１が適用された表示部１５８２を備える。
【００８４】
なお、以上の実施形態に係る電気泳動表示装置１は、他の様々な電子機器に適用されてもよく、例えば、携帯電話、携帯用オーディオ機器等の電子機器の表示部、マニュアル等の業務用シート、教科書、問題集、情報シートなどに適用されてもよい。
【００８５】
以上のように、本実施形態に係る電子機器では、以上の実施形態に係る電気泳動表示装置１と同様な効果を得ることができる。
【００８６】
［以上の実施形態のまとめ］
一構成例として、互いに対向させられた第１の基板（図２の例では、画素基板１０１）および第２の基板（図２の例では、対向基板１０２）と、第１の基板に設けられた第１の電極（図２の例では、画素電極１２１〜１２３）と、第２の基板に設けられた第２の電極（図２の例では、対向電極１３１）と、第１の基板と第２の基板との間に複数の領域（セル）を形成する領域形成部（図２の例では、隔壁１１１〜１１２であり、他の例として、マイクロカプセル）と、第１の電極と第２の電極との間に設けられた粒子（図２の例では、白色粒子１５２、黒色粒子１５３）および分散媒（図２の例では、分散媒１５１）を含む分散液（図２の例では、分散液１４１）と、第１の電極に電圧を印加する制御部（図１の例では、制御部１２）と、を備え、第１の電極は、画素ごとに設けられ、制御部は、隣接する第１の画素（実施形態では、画素Ａ）と第２の画素（実施形態では、画素Ｂ）に同じ色を表示させる場合に、第１の画素の第１の電極と第２の画素の第１の電極とで、異なる波形を有する電圧を印加する（図４の例、図９の例）、  電気泳動表示装置（実施形態では、電気泳動表示装置１）である。
一構成例として、電気泳動表示装置において、制御部は、隣接する第１の画素と第２の画素に同じ色を表示させる場合に、第１の画素の第１の電極と第２の画素の第１の電極とで、表示の書き換えの開始時に電位差を有する電圧を印加する（図４の例、図９の例）。
一構成例として、電気泳動表示装置において、制御部は、マトリクス状に配置された複数の画素において、第１の画素に対して、少なくとも１個の隣接する第２の画素と同じ色を表示させる場合に、第１の画素の第１の電極と第２の画素の第１の電極とで、異なる波形を有する電圧を印加する（図５〜図８の例）。
【００８７】
一構成例として、電気泳動表示装置において、第１の画素は、第１の画素の第１の電極と、第１の記憶回路（図３の例では、インバーター３１１、３１２）と、第１の記憶回路の状態に応じて一方が導通し他方が遮断する一対の第１のスイッチ回路（図３の例では、一対のトランスファーゲート３２１、３４１）を備え、一対の第１のスイッチ回路の一方の端子が共に第１の画素の第１の電極と接続され、他方の端子のそれぞれが第１の制御線（図３の例では、第１の制御線２２１）と第２の制御線（図３の例では、第２の制御線２２２）のそれぞれと接続されており、第２の画素は、第２の画素の第１の電極と、第２の記憶回路（図３の例では、インバーター４１１、４１２）と、第２の記憶回路の状態に応じて一方が導通し他方が遮断する一対の第２のスイッチ回路（図３の例では、一対のトランスファーゲート４２１、４４１）を備え、一対の第２のスイッチ回路の一方の端子が共に第２の画素の第１の電極と接続され、他方の端子のそれぞれが第３の制御線（図３の例では、第３の制御線２２３）と第４の制御線（図３の例では、第４の制御線２２４）のそれぞれと接続されている。
一構成例として、電気泳動表示装置において、第１の制御線と第２の制御線とのうちの一方と、第３の制御線と第４の制御線とのうちの一方とが共通である（図９の例に対応する構成例）。なお、第１の制御線と第２の制御線とのうちの一方は任意の方であってもよく、また、第３の制御線と第４の制御線とのうちの一方は任意の方であってもよい。
【００８８】
一構成例として、上記のような電気泳動表示装置を備える電子機器である（例えば、図１１〜図１３の例）。
一構成例として、互いに対向させられた第１の基板および第２の基板と、第１の基板に設けられた第１の電極と、第２の基板に設けられた第２の電極と、第１の基板と第２の基板との間に複数の領域を形成する領域形成部と、第１の電極と第２の電極との間に設けられた粒子および分散媒を含む分散液と、を備え、第１の電極は、画素ごとに設けられた電気泳動表示装置を制御する制御装置であって、隣接する第１の画素と第２の画素に同じ色を表示させる場合に、第１の画素の第１の電極と第２の画素の第１の電極とで、異なる波形を有する電圧を印加する、制御装置（例えば、制御部１２の機能と同様な機能を有する装置）である。
一構成例として、互いに対向させられた第１の基板および第２の基板と、第１の基板に設けられた第１の電極と、第２の基板に設けられた第２の電極と、第１の基板と第２の基板との間に複数の領域を形成する領域形成部と、第１の電極と第２の電極との間に設けられた粒子および分散媒を含む分散液と、を備え、第１の電極は、画素ごとに設けられた電気泳動表示装置を駆動する駆動方法であって、隣接する第１の画素と第２の画素に同じ色を表示させる場合に、第１の画素の第１の電極と第２の画素の第１の電極とで、異なる波形を有する電圧を印加する、駆動方法（例えば、制御部１２により行われる駆動方法と同様な駆動方法）である。
【００８９】
なお、以上に説明した装置等（例えば、制御部１２、制御装置、電子機器）における任意の構成部の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【００９０】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【００９１】
以上、この発明の実施形態について図面を参照して詳述してきたが、具体的な構成はこの実施形態に限られるものではなく、この発明の要旨を逸脱しない範囲の設計等も含まれる。
【符号の説明】
【００９２】
１…電気泳動表示装置、１１、１５１２、１５６１、１５８２…表示部、１２…制御部、２１…画素領域、１０１…画素基板、１０２…対向基板、１０３…接合層、１１１〜１１２…隔壁、１２１〜１２３…画素電極、１３１…対向電極、１４１…分散液、１５１…分散媒、１５２…白色粒子、１５３…黒色粒子、２０１、５０１、３００１…画素回路、２１１、６１１、３０１１…走査線、２２１〜２２４、３０２１〜３０２４…制御線、２３１〜２３２、６２１〜６２２、３０３１〜３０３２…データ線、３０１、４０１、７０１、８０１、３１０１、３２０１…ＴＦＴ、３１１〜３１２、４１１〜４１２、３１１１〜３１１２、３２１１〜３２１２…インバーター、３２１、３４１、４２１、４４１、３１２１、３１４１、３２２１、３２４１…トランスファーゲート、３３１、３５１、４３１、４５１、３１３１、３１５１、３２３１、３２５１…Ｎ−ＭＯＳ、３３２、３５２、４３２、４５２、３１３２、３１５２、３２３２、３２５２…Ｐ−ＭＯＳ、７１１、８１１…トランジスター、７２１、８２１…コンデンサー、１００１、１０１１〜１０１４、１１０１、１１１１〜１１１４、３３０１、３３１１〜３３１２…電圧、２０１１、２０２１、２０３１、２０４１…電圧制御の割り当て、１５０１…電子ブック、１５１１…フレーム、１５１３…操作部、１５５１…腕時計、１５７１…電子ペーパー、１５８１…本体部
【図１】
2017187625.tif 000003
【図２】
2017187625.tif 000004
【図３】
2017187625.tif 000005
【図４】
2017187625.tif 000006
【図５】
2017187625.tif 000007
【図６】
2017187625.tif 000008
【図７】
2017187625.tif 000009
【図８】
2017187625.tif 000010
【図９】
2017187625.tif 000011
【図１０】
2017187625.tif 000012
【図１１】
2017187625.tif 000013
【図１２】
2017187625.tif 000014
【図１３】
2017187625.tif 000015
【図１４】
2017187625.tif 000016
【図１５】
2017187625.tif 000017